(57)【要約】 【課題】ペットを撫でるようにマッサージすることで、使用者の手指や掌がペットに触れるため、ペットに安心感を与えることができ、さらにマッサージにより、凝りをほぐしリラックス効果が得られ、使用者とのスキンシップが持てるマッサージ器具を提供する。【解決手段】マッサージ器具の上方に、使用者の手にフィットする形状の持ち手部分を形成し、下方に複数の軸芯と有効な丸みを有する複数のローラーを設け、軸芯を中心にローラーが回転することを特徴としたペットマッサージ器具。【選択図】図１
2014054310.tif 000002
【特許請求の範囲】
【請求項１】
上方に持ち手部分を形成し、下方に複数の軸芯とローラーを設けたことを特徴としたペットマッサージ器具。
【請求項２】
持ち手部分の中央に深い凹みを設け、持ち手部分の下方で軸芯が二股に分かれ、左右対称に外側へ広がる形状とし、軸芯を中心に球状のローラーが回転する請求項１記載のペットマッサージ器具。
【請求項３】
持ち手部分に使用者の掌から手の甲に巻いてマッサージ器具を固定させるバンドを設け、持ち手部分の内部に軸芯を平行に並べ通し、通した軸芯は、持ち手部分の両側面から外へ出て、左右対称に外側へ湾曲し、先端に行くにつれ内側に入る形状で設け、軸芯の先端にローラーを設けた請求項１記載のペットマッサージ器具。
【発明の詳細な説明】
【技術分野】
【０００１】
本発明は、ペットのマッサージ器具に関するものである。
【背景技術】
【０００２】
従来、ペットのマッサージ器具としてグルーミング用ブラシで被毛をブラッシングしながら、皮膚をマッサージする物（特許文献１参照）や、首輪にゲルマニウム体を取り付けた物（特許文献２参照）も知られている。
【先行技術文献】
【特許文献】
【０００３】
【特許文献１】登録実用新案第３０９５７８５号  公報
【特許文献２】登録実用新案第３１０１３５６号  公報
【発明の概要】
【発明が解決しようとする課題】
【０００４】
従来、ペットは飼い主が手で撫でたりさすったりすることでスキンシップがはかられ、リラックス効果が得られていた。しかし、ペットをグルーミングブラシでブラッシングする際、被毛がブラシにひっかかり抵抗するペットも少なくない。
ともすればリラックス効果が得られず、ペットにとってストレスと成り得る。ペットにとっては飼い主の手で撫でてもらいながら、マッサージされることがより望ましい。
本発明は、以上の問題点を解決されるためのものである。
【課題を解決するための手段】
【０００５】
マッサージ器具の上方に、持ち手部分を形成する。使用者が中指付け根付近を左右からすっぽり挟み込み装着できるように、持ち手部分の中央に深い凹みを設ける。持ち手部分は、軽量で適度に柔軟性がある発泡ポリエチレンなどの素材が望ましい。
【０００６】
持ち手部分の下方に、複数の軸芯と共に複数の球状ローラーを設ける。持ち手部分の下方内部に、軸芯の根元が接着固定されている。軸芯は根元で一体化されているが、持ち手部分の外で二股に分かれる。軸芯は適度にしなる素材、例えば合成樹脂や木製、金属などの使用が望ましい。
【０００７】
２本の軸芯の先端にはそれぞれ球状のローラーが設けられ、球状のローラーの中心を軸芯が通り末端で固定され、軸芯を中心にローラーは回転する。球状のローラーの素材は樹脂でもゴムでもシリコンでも構わない。また、ローラーの表面には細かい突起物を設けてもいい。２個のローラーの幅はペットの背骨の際にあたる長さが望ましい。
【発明の効果】
【０００８】
（イ）本発明により、ペットは人に撫でられているかのようにマッサージが受けられ、リラックスできる。
（ロ）ローラーの球体がペットの背骨の際にあたり、コリがほぐれツボの刺激にもなる。
（ハ）マッサージ器具の持ち手が手指にフィットするため、使用者にとっても負担がなく、使いやすい。
【図面の簡単な説明】
【０００９】
【図１】本発明の第１の形態を示す構造図
【図２】本発明の第１の形態を示す断面図
【図３】本発明の第１の形態を示す使用図
【図４】本発明の第２の形態を示す構造図
【発明を実施するための形態】
【００１０】
以下、本発明の実施の形態を図１〜図３を用いて説明する。
マッサージ器具の上方に持ち手部分（１）を形成し、下方に複数の軸芯（２）と共に複数のローラー（３）を設ける。
【００１１】
図１及び図２、図３に示す本発明を実施するための第１の形態において、使用者が中指付け根付近を左右からすっぽり挟み込み装着できるよう、持ち手部分の中央に深い凹み（４）を設ける。凹み（４）の幅や深さは中指が嵌め込める程度が望ましい。又持ち手部分（１）は、軽量で適度に柔軟性がある発泡ポリエチレンやウレタンファーム、ゴムスポンジなどの素材が望ましい。
【００１２】
持ち手部分（１）の下方内部に、軸芯（２）の根元を接着固定する。軸芯（２）は根元で一体化されているが、持ち手部分（１）の外で二股に分かれ、それぞれ先端へ行くにつれ、左右対称に外側へ広がる形状とする。軸芯（２）は適度にしなる素材、例えば合成樹脂や木製、金属などが望ましい。
【００１３】
２本の軸芯（２）の先端にはそれぞれ球状のローラー（３）が２個設けられ、球状のローラー（３）の中心を軸芯（２）が通り末端で固定され、軸芯（２）を中心にローラー（３）は回転する。球状のローラー（３）の素材は樹脂でもゴムでもシリコンでも構わない。また、ローラー（３）の表面にはマッサージに有効な多数の細かい突起物（５）を設けることが望ましい。２個のローラー（３）の幅はペットの背骨の際にあたる長さが望ましく、ペットの大きさに合わせてマッサージ器具の大きさも何種類か用意する。
本発明は以上のような構造である。
【００１４】
本発明を使用するときは、使用者が手を開いたままの状態で、マッサージ器具の持ち手部分（１）の中央の凹み（４）に中指を嵌め込み、装着する。マッサージ器具を装着したまま、ペットの背骨に添って撫でるように上から下まで手を動かしながら、マッサージをする。背中以外でも、頭や首の後ろ、手足の部分をマッサージすることができる。
【００１５】
マッサージ器具を外す際は、持ち手部分の凹み（４）から中指を外すことで容易に外すことができる。第１の形態は、装着しやすく使用方法も簡単であるため、本発明を実施するための最良の形態である。
【００１６】
次に、本発明を実施するための第２の形態について説明する。図４に示すように、持ち手部分（６）に使用者の掌から手の甲に巻いてマッサージ器具を固定させるバンド（７）を設ける。バンド（７）の端には、面ファスナー（８）を付け、バンド部分（７）に伸縮素材を使用すると、マッサージ器具が使用者の手にフィットしやすく望ましい。
【００１７】
持ち手部分（６）の内部に、２本の軸芯（９）を平行に並べ通し、接着固定する。通した軸芯（９）は、持ち手部分（６）の両側面からそれぞれ２本ずつ外へ出て、左右対称に外側へ湾曲し先端に行くにつれ、内側に入る形状で設ける。軸芯（９）の先端には第１の形態と同様にローラー（３）を設ける。第２の形態ではローラー（３）は４つ使用する。持ち手部分（６）に軸芯（９）を通すことで、軸芯先端のローラー（３）の位置関係を常に一定に保ち、安定させることができる。
【００１８】
この本発明を実施するための第２の形態において、前記本発明を実施するための第１の形態と主に異なる点は、持ち手部分（６）の形状、装着方法の違いと軸芯（９）の形状の違い、使用するローラー（３）の数である。          
【００１９】
第１や第２の形態では、使用者がペットを撫でているかのように、手を広げた状態でマッサージ器具を装着するため、使用者の指先や掌がペットに触れ、十分な安心感を与えることができ望ましいが、必ずしも、そうでないとマッサージ器具が成り立たないという訳ではなく、持ち手部分（６）を手で握り持つ形状に形成しても成り立つ（図示せず）。この場合、第１の形態では凹みの形成がなくなり、第２の形態ではバンドは不要となる。
【００２０】
軸芯（２）と軸芯（９）の形状は、先端に設けられたローラー（３）がペットの背骨の際にあたる角度になること望ましいが、必ずしもそうでなくても成り立つ。またローラー（３）の形状は球状と例にあげたが、ペットのマッサージに有効な丸みを有する形状であれば、どのような形状でも成り立つ。軸芯（２）と軸芯（９）、ローラー（３）は、それぞれ複数設けても構わない。
【符号の説明】
【００２１】
１、6  持ち手  
２、９  軸芯  
３  球状のローラー  
４  凹み  
５  細かい突起物
７  バンド
８  面ファスナー
【図１】
2014054310.tif 000003
【図２】
2014054310.tif 000004
【図３】
2014054310.tif 000005
【図４】
2014054310.tif 000006